(57)【特許請求の範囲】
【請求項１】
折り畳み可能なフレームと，このフレームに対し，少なくとも該フレームの軸線方向と直交する方向に揺動可能に吊り部材を介して吊り下げられたピンチとを有し、フレームの折り畳み時に一方のフレームに吊られているピンチが他方のフレームに向けて移動可能な物干し具であって，
前記吊り部材の長さを，前記フレームの折り畳み時の相隣接するフレーム間において，一方のフレームに吊られているピンチを他方のフレームに向けて移動させた際に，前記一方のフレームに吊られているピンチの摘み部が前記他方のフレームに引っ掛からない長さとしたことを特徴とする物干し具。
【請求項２】
折り畳み可能なフレームと，このフレームに対し，少なくとも該フレームの軸線方向と直交する方向に揺動可能に吊り部材を介して吊り下げられたピンチとを有し、フレームの折り畳み時に一方のフレームに吊られているピンチが他方のフレームに向けて移動可能な物干し具であって，
前記フレームの折り畳み時に，相隣接するフレーム間において，一方のフレームに吊られているピンチを他方のフレームに向けて移動させた際の，前記フレームの軸線方向と直交する方向における，ピンチの吊り部からピンチの摘み部内面までの最長長さを，前記一方のフレームの吊り部から前記他方のフレームの外端までの長さよりも短くしたことを特徴とする物干し具。
【請求項３】
前記ピンチは，支点部の一方に一対の挟み部を，他方に一対の摘み部を有し，Ｕ字形のバネを前記摘み部側から前記挟み部側に向けて装着して該バネの両先端で前記一対の挟み部を挟圧方向に付勢したピンチであり，
前記一対の摘み部を摘んで摘み部同士の間隔を最小とした際，前記バネのいずれの部位も前記摘み部の外側表面から突出しないことを特徴とする請求項１または２記載の物干し具。
【請求項４】
前記ピンチは，支点部の一方に一対の挟み部を，他方に一対の摘み部を有し，Ｕ字形のバネを前記摘み部側から前記挟み部側に向けて装着して該バネの両先端で前記一対の挟み部を挟圧方向に付勢したピンチであり，
前記一対の摘み部を摘んで摘み部同士の間隔を最小とした際の前記バネにおける前記摘み部との対向部位を，当該摘み部の外側表面と同一方向に傾斜させたことを特徴とする請求項１〜３のうちいずれか一項に記載の物干し具。
【発明の詳細な説明】
【技術分野】
【０００１】
本発明は，物干し具に関する。より詳しくはピンチが絡みにくくした物干し具に関するものである。
【背景技術】
【０００２】
従来の物干し具として，例えば特許文献１に見られるような物干し具が知られている。同文献の符号を借りて説明すると，この物干し具は，折り畳み可能なフレーム（１０）と，このフレーム（１０）に対し，揺動可能に吊り部材（７０，８０）を介して吊り下げられたピンチ（２０）とを有している。ピンチ（２０）は吊り部材（７０，８０）で自由に揺動可能に吊り下げられている。
【０００３】
上記特許文献１の物干し具では，不使用時に同文献図２（ｄ）に示すようにフレーム（１０）を折り畳んだ後，再びこの物干し具を使用すべくフレーム（１０）を開こうとする際，ピンチ（２０）がフレーム（１０）に引っ掛かって開き難いことがあるという難点があった。
【先行技術文献】
【特許文献】
【０００４】
【特許文献１】特許第４１２７３８８公報
【発明の概要】
【発明が解決しようとする課題】
【０００５】
本発明が解決しようとする課題は，使用時にフレームを開きやすい物干し具を提供することである。
【課題を解決するための手段】
【０００６】
上記課題を解決するために，本発明の物干し具は，折り畳み可能なフレームと，このフレームに対し，少なくとも該フレームの軸線方向と直交する方向に揺動可能に吊り部材を介して吊り下げられたピンチとを有し、フレームの折り畳み時に一方のフレームに吊られているピンチが他方のフレームに向けて移動可能な物干し具であって，
前記吊り部材の長さを，前記フレームの折り畳み時の相隣接するフレーム間において，一方のフレームに吊られているピンチを他方のフレームに向けて移動させた際に，前記一方のフレームに吊られているピンチの摘み部が前記他方のフレームに引っ掛からない長さとしたことを特徴とする。
この物干し具によれば，不使用時には，フレームを折り畳んでコンパクトな状態として収納しておくことができる。
また，使用時にはフレームを開いて使用することができる。
そして，ピンチをフレームに吊している吊り部材の長さが，フレームの折り畳み時の相隣接するフレーム間において，一方のフレームに吊られているピンチを他方のフレームに向けて移動させた際に，前記一方のフレームに吊られているピンチの摘み部が前記他方のフレームに引っ掛からない長さとなっているので，隣接するフレームにピンチが引っ掛からなくなる。
したがって，この物干し具は，使用時にフレームを容易に開くことができる。
また，上記課題を解決するために，本発明の物干し具は，折り畳み可能なフレームと，このフレームに対し，少なくとも該フレームの軸線方向と直交する方向に揺動可能に吊り部材を介して吊り下げられたピンチとを有し、フレームの折り畳み時に一方のフレームに吊られているピンチが他方のフレームに向けて移動可能な物干し具であって，
前記フレームの折り畳み時に，相隣接するフレーム間において，一方のフレームに吊られているピンチを他方のフレームに向けて移動させた際の，前記フレームの軸線方向と直交する方向における，ピンチの吊り部からピンチの摘み部内面までの最長長さを，前記一方のフレームの吊り部から前記他方のフレームの外端までの長さよりも短くしたことを特徴とする。
この物干し具によれば，不使用時には，フレームを折り畳んでコンパクトな状態として収納しておくことができる。
また，使用時にはフレームを開いて使用することができる。
そして，フレームの折り畳み時に，相隣接するフレーム間において，一方のフレームに吊られているピンチを他方のフレームに向けて移動させた際の，前記フレームの軸線方向と直交する方向における，ピンチの吊り部からピンチの摘み部内面までの最長長さが，前記一方のフレームの吊り部から前記他方のフレームの外端までの長さよりも短くなっているので，隣接するフレームにピンチが引っ掛からなくなる。
したがって，この物干し具は，使用時にフレームを容易に開くことができる。
前記ピンチが，支点部の一方に一対の挟み部を，他方に一対の摘み部を有し，Ｕ字形のバネを前記摘み部側から前記挟み部側に向けて装着して該バネの両先端で前記一対の挟み部を挟圧方向に付勢したピンチである場合には，前記一対の摘み部を摘んで摘み部同士の間隔を最小とした際，前記バネのいずれの部位も前記摘み部の外側表面から突出しない構成とする。
隣接するフレームにピンチが引っ掛からないようにするには，ピンチの摘み部は短くすることが望ましい。しかし，ピンチが，支点部の一方に一対の挟み部を，他方に一対の摘み部を有し，Ｕ字形のバネを前記摘み部側から前記挟み部側に向けて装着して該バネの両先端で前記一対の挟み部を挟圧方向に付勢したピンチである場合に，前記バネのいずれかの部位が前記摘み部の外側表面から突出すると，そのバネの突出部が邪魔になって摘み部を摘みにくくなる。そのため，摘み部を短くすることができなくなり，結果として，隣接するフレームにピンチが引っ掛からなくするのが困難になる。
これに対し，一対の摘み部を摘んで摘み部同士の間隔を最小とした際，バネのいずれの部位も摘み部の外側表面から突出しない構成とすると，摘み部を短くすることができるため，隣接するフレームにピンチが引っ掛からないように構成するのが容易になる。
また，前記ピンチが，支点部の一方に一対の挟み部を，他方に一対の摘み部を有し，Ｕ字形のバネを前記摘み部側から前記挟み部側に向けて装着して該バネの両先端で前記一対の挟み部を挟圧方向に付勢したピンチである場合には，前記一対の摘み部を摘んで摘み部同士の間隔を最小とした際の前記バネにおける前記摘み部との対向部位を，当該摘み部の外側表面と同一方向に傾斜させた構成とする。
このようにすると，バネが摘み部の外側表面から突出しない構成とするのが容易になる。したがって，摘み部を短くすることが容易になるため，隣接するフレームにピンチが引っ掛からないように構成するのが容易になる。
【図面の簡単な説明】
【０００７】
【図１】本発明に係る物干し具の一実施の形態を示す図で，（ａ）は平面図，（ｂ）は正面図，（ｃ）は右側面図，（ｄ）は底面図，（ｅ）は図（ａ）におけるｅ−ｅ拡大端面図，（ｆ）は図（ａ）におけるｆ−ｆ拡大端面図，（ｇ）は折り畳み状態を示す正面図。
【図２】物干し具の使用状態を示す斜視図。
【図３】（ａ）はフレーム１０へのピンチ２０の吊り構造を示す断面図（図（ｂ）におけるａ−ａ断面図），（ｂ）は図（ａ）におけるｂ−ｂ断面図。
【図４】（ａ）折り畳み状態を示す部分正面図，（ｂ）〜（ｄ）は作用説明図。
【図５】（ａ）（ｂ）はそれぞれピンチ２０の断面図。
【発明を実施するための形態】
【０００８】
以下，本発明に係る物干し具の実施の形態について図面を参照して説明する。
この実施の形態の物干し具１は，主として図１（ｂ）および（ｇ）に示すように折り畳み可能な左右のフレーム１０Ｌ，１０Ｒとを有するフレーム１０と，このフレーム１０に対し，少なくとも該フレーム１０の軸線方向と直交する方向に揺動可能に吊り部材５０を介して吊り下げられたピンチ２０（図２参照）とを有する物干し具であって，吊り部材５０（図３参照）の長さＬ１を，フレーム１０の折り畳み時の相隣接するフレーム１０Ｌ，１０Ｒ間において，一方のフレーム１０Ｌ（または１０Ｒ）に吊られているピンチ２０Ｌ（または２０Ｒ）を他方のフレーム１０Ｒ（または１０Ｌ）に向けて移動させた際に，一方のフレーム１０Ｌ（または１０Ｒ）に吊られているピンチ２０Ｌ（または２０Ｒ）の摘み部２５が他方のフレーム１０Ｒ（または１０Ｌ）に引っ掛からない長さとしたことを特徴としている（図４（ｂ）参照）。
【０００９】
図１および図２に示すように，この実施の形態の物干し具１は，上記フレーム（以下，メインフレームともいう）１０と，このメインフレーム１０の下部に連結された複数のピンチ２０と，前記メインフレーム１０を吊す吊りフレーム３０とを備えている。メインフレーム１０と吊りフレーム３０とは，ヒンジ部４０，４０で連結されている。なお，図１はフレーム構造を示す図であり，ピンチ２０は省略してある。
【００１０】
メインフレーム１０は，左右一対のフレーム１０Ｌ，１０Ｒを有しており，左右全体として平面視矩形のフレームを構成している。
メインフレーム１０は，金属製のパイプ（例えば，アルミニウムパイプやステンレスパイプ）で構成することができる。
メインフレーム１０の底部に，ピンチ２０を吊すための穴１３が複数個（この実施の形態では片側のフレームにつき１６個）設けられている。この穴１３を用いて吊り部材５０（図３参照）でピンチ２０が吊される。
【００１１】
図１に示すように，吊りフレーム３０の頂部には，フック３１が回転可能に設けられており，このフック３１で物干し具１を物干し竿等（図示せず）に掛けて吊すことができる（図２参照）。３２はフック３１と同軸に設けられたリング状の取っ手であり，物干し具１を物干し竿等に掛ける際に手で掴むことができる。
【００１２】
ヒンジ部４０は，吊りフレーム３０の端部３３と，この端部３３に対し，この端部３３を軸として図１（ｂ）においてそれぞれ上下方向に回動可能に連結された第１ジョイント部材４１と第２ジョイント部材４２とを有している。これらジョイント部材４１，４２は平面視で点対称状に構成されており，それぞれメインフレーム１０の端部１４が嵌め込まれる筒状の連結部４１ｂ，４２ｂと，この連結部４１ｂ（４２ｂ）と一体の円板部４１ｃ（４２ｃ）とを有している。円板部４１ｃ，４２ｃがそれぞれ，吊りフレーム３０の端部３３によって構成された軸部に回動可能に連結されることによって，ジョイント部材４１，４２はそれぞれ吊りフレーム３０の端部３３に対して回動可能に連結されており，不使用時には，左右のメインフレーム１０Ｌ，１０Ｒは，図１（ｇ）に示すようにフック３１側に向けて折り畳んでおくことができる。ヒンジ部４０にはフック部４３が一体的に設けられており，このフック４３を用いて洗濯物を干すこともできる。
【００１３】
図３に示すように，ピンチ２０は，吊り部材５０によってメインフレーム１０に吊り下げられている。
吊り部材５０は，吊り金具５１と，連結部材５２とを有している。
吊り金具５１は１本のバネ部材で構成されており，略リング状の部分（以下，リング部という）５１ｒと，その上部にあってメインフレーム１０に掛けるためのフック部５１ｆとを有している。吊り金具５１は，フック部５１ｆを，その幅を狭めるようにしてメインフレーム１０の穴１３に挿入した後のフック部５１ｆのバネ性による原位置への復帰によってメインフレーム１０に取り付けることができる。
リング部５１ｒに連結部材５２を介してピンチ２０が吊り下げられる。連結部材５２としては，公知の金属製リングを用いることができる。連結部材５２は吊り金具５１のリング部５１ｒとピンチ２０のバネ２１とを連結している。
【００１４】
吊り金具５１はフレーム１０に対して吊り金具５１の軸部回り（鉛直軸回り）に３６０度回転可能であると同時に穴１３内を移動可能である。連結部材５２は吊り金具５１のリング部５１ｒに対して水平軸回りおよび鉛直軸回りにそれぞれ略３６０度回転可能であると同時にスライド可能である。ピンチ２０は連結部材５２に対し，バネ２１が連結部材５２内を移動できる範囲内において移動自在である。
【００１５】
したがって，ピンチ２０はフレーム１０に対して略自在に移動できるため，このようなピンチ２０の吊り構造によると，物干し作業が行いやすくなる。
しかし一方でピンチ２０がフレーム１０に対して略移動自在であるということは，フレーム１０を折り畳んだ際に，一方のフレーム１０Ｌ（または１０Ｒ）に吊られているピンチ２０Ｌ（または２０Ｒ）が他方のフレーム１０Ｒ（または１０Ｌ）に向かって移動可能であるということを意味し，その移動状態によっては，次のような問題が生じる。
【００１６】
それについて，図４を参照して説明する。
図４（ａ）に示すようにフレーム１０を折り畳んで物干し具１を横置き等にした際，同図に示すように，一方のフレーム１０Ｒに吊られているピンチ２０Ｒが他方のフレーム１０Ｌに向かって移動する（垂れ下がる）ことがある。このような移動は，上述したピンチ２０の吊り構造に限らず，ピンチが，フレームに対し，少なくとも該フレームの軸線方向と直交する方向に揺動可能に吊り部材を介して吊り下げられていれば生じうる。
【００１７】
このようなピンチ２０の移動が生じた際，仮に，図４（ｄ）に示すように，吊り部材５０’の長さ（正確にはピンチ２０を吊っている部分の長さ）Ｌ２が，フレーム１０の折り畳み時の相隣接するフレーム１０Ｌ，１０Ｒ間において，ピンチ２０の摘み部２５が隣接するフレーム１０Ｌに引っ掛かることが可能な長さになっていたとすると，ピンチ２０の摘み部２５が隣接するフレーム１０Ｌに引っ掛かることがあり，そのような状態になると，その後，この物干し具１を使用すべくフレーム１０Ｌ，１０Ｒを開こうとした際，ピンチ２０がフレーム１０Ｌに引っ掛かっていることで，開き難くなってしまう。
【００１８】
そこで，この実施の形態では，前述したように，また図３および図４（ｂ）に示すように，吊り部材５０の長さ（正確にはピンチ２０を吊っている部分の長さ）Ｌ１を，フレーム１０の折り畳み時の相隣接するフレーム１０Ｌ，１０Ｒ間において，一方のフレーム１０Ｒ（または１０Ｌ）に吊られているピンチ２０Ｒ（または２０Ｌ）を他方のフレーム１０Ｌ（または１０Ｒ）に向けて移動させた際に，一方のフレーム１０Ｒ（または１０Ｌ）に吊られているピンチ２０Ｒ（または２０Ｌ）の摘み部２５が他方のフレーム１０Ｌ（または１０Ｒ）に引っ掛からない長さとしてある。
このように構成すると，隣接するフレームにピンチ２０が引っ掛からなくなる。
したがって，この物干し具１は，使用時にフレーム１０Ｌ，１０Ｒを容易に開きことができる。
【００１９】
別言すれば，図４（ｃ）に示すように，この実施の形態では，フレーム１０の折り畳み時に，相隣接するフレーム１０Ｌ，１０Ｒ間において，一方のフレーム１０Ｒ（または１０Ｌ）に吊られているピンチ２０Ｒ（または２０Ｌ）を他方のフレーム１０Ｌに向けて移動させた際の，フレームの軸線方向と直交する方向における，ピンチ２０Ｒ（または２０Ｌ）の吊り部からピンチ２０Ｒ（または２０Ｌ）の摘み部２５の内面２６までの最長長さ（内面先端までの長さ）Ｌ３を，一方のフレーム１０Ｒの吊り部から他方のフレーム１０Ｌの外端１１までの長さＬ４よりも短くしてある。
このように構成すると，隣接するフレームにピンチ２０が引っ掛からなくなる。
したがって，この物干し具１は，使用時にフレーム１０Ｌ，１０Ｒを容易に開きことができる。
【００２０】
図５に示すように，この実施の形態のピンチ２０は，支点部２２の一方に一対の挟み部２３を，他方に一対の摘み部２５を有し，Ｕ字形のバネ２１を摘み部２５側から挟み部側２３に向けて支点部２２を跨ぐようにして装着して該バネ２１の両先端２１ｂで前記一対の挟み部２３を挟圧方向に付勢したピンチであり，図５（ｂ）に示すように一対の摘み部２５を摘んで摘み部２５同士の間隔を最小とした際，バネ２１のいずれの部位も摘み部２５の外側表面２７（図３参照）から突出しないように，バネ２１および摘み部２５を構成してある。
このように構成すると，次のような作用効果が得られる。
【００２１】
隣接するフレーム１０Ｌ，１０Ｒにピンチ２０が引っ掛からないようにするには，ピンチ２０の摘み部２５は短くすることが望ましい。しかし，ピンチ２０が，支点部２２の一方に一対の挟み部２３を，他方に一対の摘み部２５を有し，Ｕ字形のバネ２１を摘み部２５側から挟み部２３側に向けて装着して該バネ２１の両先端２１ｂで一対の挟み部２３を挟圧方向に付勢したピンチである場合に，バネ２１のいずれかの部位が摘み部２５の外側表面２７から突出すると，そのバネ２１の突出部が邪魔になって摘み部２５を摘みにくくなる。そのため，摘み部２５を短くすることができなくなり，結果として，隣接するフレーム１０Ｌ，１０Ｒにピンチ２０が引っ掛からなくするのが困難になる。
これに対し，この実施の形態のように，一対の摘み部２５を摘んで摘み部２５同士の間隔を最小とした際，バネ２１のいずれの部位も摘み部２５の外側表面２７から突出しない構成とすると，摘み部２５の長さ２５ａを短くすることができるため，隣接するフレームにピンチ２０が引っ掛からないように構成するのが容易になる。
【００２２】
また，図５（ｂ）に示すように，この実施の形態のピンチ２０は，一対の摘み部２５を摘んで摘み部２５同士の間隔を最小とした際のバネ２１における摘み部２５との対向部位２１ｃを，摘み部２５の外側表面２７と同一方向に傾斜させてた構成としてある。
このようにすると，バネ２１が摘み部２５の外側表面２７から突出しない構成とするのが容易になる。したがって，摘み部２５を短くすることが容易になるため，隣接するフレームにピンチ２０が引っ掛からないように構成するのが容易になる。
【００２３】
以上，本発明の実施の形態について説明したが，本発明は上記の実施の形態に限定されるものではなく，本発明の要旨の範囲内において適宜変形実施可能である。
【符号の説明】
【００２４】
１    物干し具
１０    フレーム
１１    外端
２０    ピンチ
２１    バネ
２１ｃ  対向部位
２２    支点部
２３    挟み部
２５    摘み部
２６    摘み部内面
２７    外側表面
５０    吊り部材
【図１】
0005430305.tif 000002
【図３】
0005430305.tif 000003
【図４】
0005430305.tif 000004
【図５】
0005430305.tif 000005
【図２】
0005430305.tif 000006